【手続補正書】
【提出日】平成16年9月7日(2004.9.7)
【手続補正１】
【補正対象書類名】明細書
【補正対象項目名】特許請求の範囲
【補正方法】変更
【補正の内容】
【特許請求の範囲】
【請求項１】
対物レンズを含む集光光学系に、光源から出射した光束を、光軸に対して垂直な方向において少なくとも２つの領域に分割する機能を持たせることにより、
透明基板の厚さがｔ１の第１光情報記録媒体に対して、第１光源（波長λ１（ｎｍ））から出射した光束を、前記集光光学系で透明基板を介して情報記録面に集光させ、第１光情報記録媒体の情報の記録又は再生をするとともに、
透明基板の厚さがｔ２（ｔ２＞ｔ１）の第２光情報記録媒体に対して、第２光源（波長λ２（ｎｍ））から出射した光束を、前記集光光学系で透明基板を介して情報記録面に集光させ、第２光情報記録媒体の情報の記録又は再生をするようにした光ピックアップ装置において、
第１光情報記録媒体の情報の記録又は再生時における前記対物レンズの光情報記録媒体側から見た倍率ｍ１より、第２光情報記録媒体の情報の記録又は再生時における前記対物レンズの光情報記録媒体側から見た倍率ｍ２の方が、小さいことを特徴とする光ピックアップ装置。
【請求項２】
前記集光光学系に、波面収差を不連続にして、光源から出射した光束を光軸に対して垂直な方向において少なくとも２つの領域に分割するために、光軸と略同心のレンズ面分割部を少なくとも１つ設け、
第１光情報記録媒体の情報の記録又は再生時において、前記レンズ面分割部によって分割された領域のうち、前記レンズ面分割部より光軸側の第１領域及び前記レンズ面分割部より外側の第３領域を通過する光束によって、第１光情報記録媒体の情報記録面上に形成されるビームスポットの波面収差が０．０５λ１（ｒｍｓ）以下であり、
第２光情報記録媒体の情報の記録又は再生時において、前記第１領域を通過する光束によって、第２光情報記録媒体の情報記録面上に形成されるビームスポットの波面収差が０．０７λ２（ｒｍｓ）以下であることを特徴とする請求項１に記載の光ピックアップ装置。
【請求項３】
前記集光光学系に、波面収差を不連続にして、光源から出射した光束を光軸に対して垂直な方向において少なくとも２つの領域に分割するために、光軸と略同心のレンズ面分割部を少なくとも１つ設けたことを特徴とする請求項１に記載の光ピックアップ装置。
【請求項４】
光源からの光束を、対物レンズを含む集光光学系により光情報記録媒体の透明基板を介して情報記録面上に集光して、光情報記録媒体の情報の記録又は再生を行うように構成されており、かつ、透明基板の厚み及び記録密度が異なる少なくとも２種類の光情報記録媒体の情報の記録又は再生を行う光ピックアップ装置において、
前記集光光学系に、波面収差を不連続にするために、レンズの光軸と略同心のレンズ面分割部を少なくとも１つ設けるとともに、
透明基板の厚さがｔ１の第１光情報記録媒体の情報の記録又は再生時には、前記レンズ分割部より光軸側の第１領域及び前記レンズ面分割部より外側の第３領域を通過する光束によって情報記録面上に形成されるビームスポットの波面収差が０．０５λ１（ｒｍｓ）（但し、λ１は第１光情報記録媒体の情報の記録又は再生に使用する第１光源の波長（ｎｍ））以下となるように、前記対物レンズの光情報記録媒体側から見た倍率をｍ１として、第１光源からの光束を集光し、
記録密度が第１光情報記録媒体よりも低く透明基板の厚さがｔ２（ｔ２＞ｔ１）の第２光情報記録媒体の情報の記録又は再生時には、前記第１領域を通過する光束によって情報記録面上に形成されるビームスポットの波面収差が０．０７λ２（ｒｍｓ）（但し、λ２は第２光情報記録媒体の情報の記録又は再生に使用する第２光源の波長（ｎｍ））以下となるように、前記対物レンズの光情報記録媒体側から見た倍率をｍ２として、第２光源からの光束を集光するようにしたことを特徴とする光ピックアップ装置。
【請求項５】
前記集光光学系に、レンズ面分割部を２つ設け、
第２光情報記録媒体の記録又は再生時に、前記第１領域及び２つのレンズ面分割部の間の第２領域を通過する光束を集光させ、情報記録面上にビームスポットを形成するようにしたことを特徴とする請求項２〜４のいずれか１つに記載の光ピックアップ装置。
【請求項６】
前記集光光学系に、レンズ面分割部を２つ設け、
前記２つのレンズ面分割部の間の第２領域を、遮蔽構造としたことを特徴とする請求項２又は３に記載の光ピックアップ装置。
【請求項７】
前記倍率ｍ２は、第１光情報記録媒体の透明基板の厚さｔ１と第２光情報記録媒体の透明基板の厚さｔ２との差により生じる球面収差を補正する方向の倍率であることを特徴とする請求項１〜６のいずれか１つに記載の光ピックアップ装置。
【請求項８】
前記集光光学系は、前記第１光源及び前記第２光源からの光束の発散度を変更する発散度変更光学素子を有し、
前記発散度変更光学素子と前記第２光源との距離が前記発散度変更光学素子と前記前１光源との距離より短くなるように、前記第１光源及び前記第２光源を配置することを特徴とする請求項１〜７のいずれか１つに記載の光ピックアップ装置。
【請求項９】
前記第１光源は、前記第２光源を兼用することを特徴とする請求項１〜７のいずれか１つに記載の光ピックアップ装置。
【請求項１０】
前記集光光学系は、前記第１光源からの光束の発散度を変更する発散度変更光学素子を有し、
第１光情報記録媒体の情報の記録又は再生時における前記発散度変更光学素子と前記第１光源との距離より、第２光情報記録媒体の情報の記録又は再生時における前記発散度変更光学素子と前記第１光源との距離の方を短くすることを特徴とする請求項９に記載の光ピックアップ装置。
【請求項１１】
前記第１光源又は前記発散度変更光学素子を光軸方向に移動させることを特徴とする請求項１０に記載の光ピックアップ装置。
【請求項１２】
前記倍率ｍ１と前記倍率ｍ２は、
−０．０５＜ｍ２−ｍ１＜−０．００５
を満足することを特徴とする請求項１〜１１のいずれか１つに記載の光ピックアップ装置。
【手続補正２】
【補正対象書類名】明細書
【補正対象項目名】００４５
【補正方法】変更
【補正の内容】
【００４５】
このようにして、第２光ディスク２０′の情報記録面２２′上に情報を記録又は第２光ディスク２０′の情報記録面２２′上の情報を再生する。なお、図においては、対物レンズ１６の光ディスク側の屈折面Ｓ２と光ディスク表面との間隔（所謂、ワーキングディスタンス）を第１光ディスク２０と第２光ディスク２０′ともに同じ距離として記載しているが、後述する実施例からも明らかなように、第１光ディスク２０と第２光ディスク２０′ではその距離が異なり、これは２次元アクチュエータ（フォーカシング制御用）１５によって移動させられる。したがって、２次元アクチュエータ（フォーカシング制御用）１５は、両光ディスクのフォーカシングを行えるような作動距離を有するものを使用する。
【手続補正３】
【補正対象書類名】明細書
【補正対象項目名】００９８
【補正方法】変更
【補正の内容】
【００９８】
なお、以上の説明においては、記録密度が高く第１光ディスクの透明基板の厚さｔ１が、第１光ディスクよりも記録密度が低い第２光ディスクの透明基板の厚さｔ２より薄いのでｍ１＞ｍ２としたが、記録密度が高い第１光ディスクの透明基板の厚さｔ１が、第１光ディスクよりも記録密度が低い第２光ディスクの透明基板の厚さｔ２より厚い場合は、ｍ１＜ｍ２とすればよい。